(57)【要約】【課題】燃焼排気の流通方向上流側の伝熱管よりも低い位置に、流通方向下流側の伝熱管が存在する場合でも、その下流側において効率良く熱交換可能とすること。【解決手段】副熱交換器３において、燃焼排気の流通方向上流側にある上流側伝熱部１７Ａの上部をなす第一部分２１は、燃焼排気の流通方向下流側にある下流側伝熱部１７Ｂの上部をなす第二部分２２よりも上方にある。ケーシング５が有する天井部３７の下面には、第一領域４１、第二領域４２、及び第三領域４３が形成されている。第一領域４１は、第三領域４３よりも高い位置に形成されるとともに、第二領域４２には、第一領域４１側から第三領域４３側に向かって下り勾配となる傾斜が付与されて、傾斜に沿って燃焼排気を斜め下方へ案内する構造とされている。【選択図】図８
2015010797.tif 000002
【特許請求の範囲】
【請求項１】
内部空間を形成しており、当該内部空間を挟んで両側にある箇所のうち、一方の箇所には前記内部空間へ燃焼排気を導入する導入口が形成され、他方の箇所には前記内部空間から燃焼排気を排出する排出口が形成されたケーシングと、
前記ケーシングの内部空間に配設された伝熱管によって構成され、前記ケーシングの内部空間において前記導入口側から前記排出口側へと流れる燃焼排気の熱を、前記伝熱管の内部を流れる被加熱流体へと伝達する伝熱部と
を備え、
前記伝熱部は、前記ケーシングの内部空間において前記導入口側から前記排出口側へと流れる前記燃焼排気の流通方向について、前記燃焼排気の流通方向上流側となる位置に配設された上流側伝熱部と、前記燃焼排気の流通方向下流側となる位置に配設された下流側伝熱部とを有し、
前記上流側伝熱部は、上下方向について前記下流側伝熱部よりも高い位置に設けられた第一部分を有するとともに、前記下流側伝熱部は、前記第一部分よりも低い位置に設けられた第二部分を有し、
前記ケーシングは、前記上流側伝熱部から前記下流側伝熱部にわたる範囲の上方を覆う天井部を有し、
前記天井部の下面には、前記第一部分の上方となる位置に設けられた第一領域と、当該第一領域から連続して前記第一部分の上方から前記第二部分の上方に至る範囲に設けられた第二領域と、当該第二領域から連続して前記第二部分の上方となる位置に設けられた第三領域が形成され、
前記第一領域は、前記第三領域よりも高い位置に形成されるとともに、前記第二領域には、前記第一領域側から前記第三領域側に向かって下り勾配となる傾斜が付与されて、当該傾斜に沿って燃焼排気を斜め下方へ案内する構造とされている
熱交換器。
【請求項２】
前記第二部分には、前記燃焼排気の流通方向に間隔を空けて複数の前記伝熱管が配列され、当該複数の前記伝熱管のうち、前記燃焼排気の流通方向上流側に配置された一以上の前記伝熱管は前記第二領域の下方に配置され、当該第二領域の下方に配置された一以上の前記伝熱管よりも前記燃焼排気の流通方向下流側に配置された一以上の前記伝熱管は、前記第三領域の下方に配置されている
請求項１に記載の熱交換器。
【請求項３】
前記天井部は、四辺形の金属板に対して当該金属板の四辺よりも下側に凹む凹部を形成してなる部品によって構成され、
少なくとも前記第二領域及び前記第三領域は、前記凹部の下面によって構成されている
請求項１又は請求項２に記載の熱交換器。
【請求項４】
前記伝熱部には、上下方向に間隔を空けて複数の前記伝熱管が配列されており、
上下方向で隣り合う位置にある前記伝熱管の間には、両伝熱管の間隔が過剰に狭まるのを抑制するスペーサーが配設され、
前記スペーサーには、上下方向に貫通する一以上の貫通孔が形成されている
請求項１〜請求項３のいずれか一項に記載の熱交換器。
【請求項５】
前記伝熱部において、前記上流側伝熱部及び前記下流側伝熱部それぞれを構成する前記伝熱管は、前記燃焼排気の流通方向及び上下方向の双方に対して交差する方向に延在しており、当該延在方向の両端のうち、一端側には前記上流側伝熱部側の前記伝熱管と前記下流側伝熱部側の前記伝熱管を連通させる伝熱管によって構成される第一連通部が設けられる一方、他端側には前記上流側伝熱部側の前記伝熱管と前記下流側伝熱部側の前記伝熱管を連通させる伝熱管によって構成される第二連通部が設けられることにより、前記上流側伝熱部から前記第一連通部、前記下流側伝熱部、及び前記第二連通部を経て前記上流側伝熱部へと戻る一周分の管路が複数周分にわたって螺旋状に繰り返される螺旋状管路が構成されており、
前記第一連通部及び前記第二連通部それぞれを構成する複数の前記伝熱管を上下両側から挟む位置には、複数の前記伝熱管間の間隔が過剰に拡がるのを抑制する抑え部が配設され、
前記抑え部には、上下方向に貫通する一以上の貫通孔が形成されている
請求項１〜請求項４のいずれか一項に記載の熱交換器。
【請求項６】
前記ケーシングの内部空間のうち、水平方向については前記下流側伝熱部と前記排出口との間となる位置、かつ上下方向については前記排出口よりも低い位置には、前記下流側伝熱部から前記排出口へと流れる前記燃焼排気が通過する通気口が設けられている
請求項１〜請求項５のいずれか一項に記載の熱交換器。
【請求項７】
請求項１〜請求項６のいずれか一項に記載の熱交換器を備える給湯器。
【発明の詳細な説明】
【技術分野】
【０００１】
本発明は、熱交換器、及び給湯器に関する。
【背景技術】
【０００２】
従来、並列に配列された複数の伝熱管が螺旋状に巻回された構造とされた伝熱部を備える熱交換器が提案されている（例えば、特許文献１参照。）。特許文献１に記載の熱交換器の場合、複数の伝熱管は、上下方向に延びる仮想的な軸線を中心にして、その軸線の周囲で各伝熱管が同軸の螺旋を描く形状とされている。
【０００３】
このような螺旋状伝熱管は、ケーシング内に収納され、ケーシング内を流通する燃焼排気と伝熱管内を流れる被加熱流体との間で熱交換が行われる。ケーシング内における燃焼排気の流通方向は、複数の伝熱管のなす螺旋の中心となる仮想的な軸線に交差する方向とされる。そのため、各伝熱管は、一端から他端に至る途中で、燃焼排気の流通経路の上流側となる領域（以下、上流側領域ともいう。）と、同流通経路の下流側となる領域（以下、下流側領域ともいう。）とを、複数回にわたって交互に横切る構造となっている。
【先行技術文献】
【特許文献】
【０００４】
【特許文献１】特開２０１１−４３２８１号公報
【発明の概要】
【発明が解決しようとする課題】
【０００５】
ところで、上述のような螺旋状伝熱管において、上流側領域を横切る部分（以下、上流側伝熱部ともいう。）と下流側領域を横切る部分（以下、下流側伝熱部ともいう。）とでは、伝熱管の高さ位置が螺旋の半ピッチに相当する分だけ上下方向にずれることになる。
【０００６】
そのため、このような螺旋状伝熱管を一般的な直方体状のケーシングに収納した場合、上流側伝熱部又は下流側伝熱部のいずれか一方の上方には、伝熱管が存在しない空間が形成されることになる。このような空間内では、燃焼排気が伝熱管に接触しないまま通過することになるので、燃焼排気の熱が十分に奪われないまま、その燃焼排気がケーシング外へと排出されてしまうおそれがある。
【０００７】
特に、高温の燃焼排気は上昇方向へ流動する傾向が強いので、上述のような空間が下流側伝熱部の上方に形成されている場合、上流側伝熱部の上部付近を通過した燃焼排気は、伝熱管の存在しない空間に流れ込みやすくなり、熱効率が低下する要因になる。
【０００８】
なお、このような問題は、伝熱管が螺旋状に形成されている場合に限らず、上流側伝熱部よりも下流側伝熱部が低い位置にあって、下流側伝熱部の上方に空間が存在している場合には、同様に発生し得る問題でもある。
【０００９】
本発明は、上記のような課題を解決するためになされたものであり、その目的の一つは、燃焼排気の流通方向上流側の伝熱管よりも低い位置に、流通方向下流側の伝熱管が存在する場合でも、その下流側において効率良く熱交換可能な熱交換器と、そのような熱交換器を備えた給湯器を提供することにある。
【課題を解決するための手段】
【００１０】
以下、本発明において採用した構成について説明する。
本発明の熱交換器は、内部空間を形成しており、当該内部空間を挟んで両側にある箇所のうち、一方の箇所には前記内部空間へ燃焼排気を導入する導入口が形成され、他方の箇所には前記内部空間から燃焼排気を排出する排出口が形成されたケーシングと、前記ケーシングの内部空間に配設された伝熱管によって構成され、前記ケーシングの内部空間において前記導入口側から前記排出口側へと流れる燃焼排気の熱を、前記伝熱管の内部を流れる被加熱流体へと伝達する伝熱部とを備え、前記伝熱部は、前記ケーシングの内部空間において前記導入口側から前記排出口側へと流れる前記燃焼排気の流通方向について、前記燃焼排気の流通方向上流側となる位置に配設された上流側伝熱部と、前記燃焼排気の流通方向下流側となる位置に配設された下流側伝熱部とを有し、前記上流側伝熱部は、上下方向について前記下流側伝熱部よりも高い位置に設けられた第一部分を有するとともに、前記下流側伝熱部は、前記第一部分よりも低い位置に設けられた第二部分を有し、前記ケーシングは、前記上流側伝熱部から前記下流側伝熱部にわたる範囲の上方を覆う天井部を有し、前記天井部の下面には、前記第一部分の上方となる位置に設けられた第一領域と、当該第一領域から連続して前記第一部分の上方から前記第二部分の上方に至る範囲に設けられた第二領域と、当該第二領域から連続して前記第二部分の上方となる位置に設けられた第三領域が形成され、前記第一領域は、前記第三領域よりも高い位置に形成されるとともに、前記第二領域には、前記第一領域側から前記第三領域側に向かって下り勾配となる傾斜が付与されて、当該傾斜に沿って燃焼排気を斜め下方へ案内する構造とされている。
【００１１】
このように構成された熱交換器によれば、天井部において第三領域は第一領域よりも低い位置に設けられている。そのため、下流側伝熱部の有する第二部分が上流側伝熱部の有する第一部分より低い位置に設けられているにもかかわらず、第一部分及び第二部分の上方に形成される空間の容量を削減することができ、燃焼排気と伝熱管の接触効率を高めることができる。しかも、上流側伝熱部の上部付近を通過した高温の燃焼排気は、上昇方向へ流動する傾向があるにもかかわらず、天井部が有する第二領域に沿って斜め下方へと流れることで、下流側伝熱部に到達する。そのため、上流側伝熱部の上部付近を通過した燃焼排気が更に上昇する方向へ流動するものに比べ、燃焼排気と伝熱管の接触効率を高めることができる。したがって、燃焼排気と伝熱管の接触効率は極めて高くなり、燃焼排気が伝熱管に接触することなくケーシング外へ素通りしてしまうのを抑制できるので、熱効率を高めることができる。
【００１２】
本発明の熱交換器において、前記第二部分には、前記燃焼排気の流通方向に間隔を空けて複数の前記伝熱管が配列され、当該複数の前記伝熱管のうち、前記燃焼排気の流通方向上流側に配置された一以上の前記伝熱管は前記第二領域の下方に配置され、当該第二領域の下方に配置された一以上の前記伝熱管よりも前記燃焼排気の流通方向下流側に配置された一以上の前記伝熱管は、前記第三領域の下方に配置されていることが好ましい。
【００１３】
このように構成された熱交換器によれば、下流側伝熱部の第二部分に配設された複数の伝熱管のうち、一以上の伝熱管は第二領域の下方に配設されるとともに、更に燃焼排気の流通方向下流側にある一以上の伝熱管は第三領域の下方に配設されている。そのため、第二領域に沿って斜め下方へと流動する燃焼排気は、下流側伝熱部の第二部分に含まれる伝熱管に向かって流れるので、下流側伝熱部における熱効率を向上させることができる。
【００１４】
本発明の熱交換器において、前記天井部は、四辺形の金属板に対して当該金属板の四辺よりも下側に凹む凹部を形成してなる部品によって構成され、少なくとも前記第二領域及び前記第三領域は、前記凹部の下面によって構成されていることが好ましい。
【００１５】
このように構成された熱交換器によれば、四辺形の金属板に対して上述のような凹部を形成することにより、所期の第二領域及び第三領域を設けてあるので、このような凹部であれば金属板に対する絞り加工で形成することができる。したがって、別体の複数部品を接合するような構造に比べ、部品点数を削減することができ、また、接合箇所から燃焼排気が漏出するといった問題も未然に防ぐことができる。
【００１６】
本発明の熱交換器において、前記伝熱部には、上下方向に間隔を空けて複数の前記伝熱管が配列されており、上下方向で隣り合う位置にある前記伝熱管の間には、両伝熱管の間隔が過剰に狭まるのを抑制するスペーサーが配設され、前記スペーサーには、上下方向に貫通する一以上の貫通孔が形成されていることが好ましい。
【００１７】
このように構成された熱交換器によれば、上下方向で隣り合う位置にある伝熱管の間隔を、スペーサーによって適正に維持することができる。しかも、スペーサーには上述のような貫通孔が形成されているので、その貫通孔を介して燃焼排気が上下方向へ流通する。したがって、スペーサーによって燃焼排気の流通が規制されてしまうのを抑制することができる。
【００１８】
本発明の熱交換器は、前記伝熱部において、前記上流側伝熱部及び前記下流側伝熱部それぞれを構成する前記伝熱管は、前記燃焼排気の流通方向及び上下方向の双方に対して交差する方向に延在しており、当該延在方向の両端のうち、一端側には前記上流側伝熱部側の前記伝熱管と前記下流側伝熱部側の前記伝熱管を連通させる伝熱管によって構成される第一連通部が設けられる一方、他端側には前記上流側伝熱部側の前記伝熱管と前記下流側伝熱部側の前記伝熱管を連通させる伝熱管によって構成される第二連通部が設けられることにより、前記上流側伝熱部から前記第一連通部、前記下流側伝熱部、及び前記第二連通部を経て前記上流側伝熱部へと戻る一周分の管路が複数周分にわたって螺旋状に繰り返される螺旋状管路が構成されており、前記第一連通部及び前記第二連通部それぞれを構成する複数の前記伝熱管を上下両側から挟む位置には、複数の前記伝熱管間の間隔が過剰に拡がるのを抑制する抑え部が配設され、前記抑え部には、上下方向に貫通する一以上の貫通孔が形成されていることが好ましい。
【００１９】
このように構成された熱交換器によれば、上述のような抑え部によって、複数の伝熱管が上下両側から挟まれているので、複数の伝熱管間の間隔を適正に維持することができる。しかも、抑え部には上述のような貫通孔が形成されているので、その貫通孔を介して燃焼排気が上下方向へ流通する。したがって、抑え部によって燃焼排気の流通が規制されてしまうのを抑制することができる。
【００２０】
本発明の熱交換器において、前記ケーシングの内部空間のうち、水平方向については前記下流側伝熱部と前記排出口との間となる位置、かつ上下方向については前記排出口よりも低い位置には、前記下流側伝熱部から前記排出口へと流れる前記燃焼排気が通過する通気口が設けられていることが好ましい。
【００２１】
このように構成された熱交換器によれば、上流側伝熱部及び下流側伝熱部を通過した燃焼排気は、排出口よりも低い位置にある通気口を通ってから排出口へと流れる。そのため、ケーシング内における通気口よりも高い領域では、上昇傾向にある燃焼排気が流れ込むことにより、高温の燃焼排気がある程度長時間にわたって滞留する。したがって、このような通気口を経由することなく、より上方にある排出口に向かって燃焼排気が真っ直ぐに流れてしまうものに比べ、燃焼排気と伝熱管とをより長時間にわたって接触させることができ、熱効率を向上させることができる。
【００２２】
本発明の給湯器は、上述した熱交換器のいずれかを備えるものである。
このように構成された給湯器によれば、本発明の熱交換器を備えているので、本発明の熱交換器について述べた通りの作用、効果を奏し、熱効率の高い給湯器とすることができる。
【図面の簡単な説明】
【００２３】
【図１】給湯器の一部を破断して内部構造を示した正面図。
【図２】（ａ）は副熱交換器を右前上方から見た斜視図、（ｂ）は副熱交換器を示す平面図。
【図３】（ａ）は副熱交換器内部における伝熱部の配設位置を示す斜視図、（ｂ）は副熱交換器内部における伝熱部の配設位置を示す平面図。
【図４】（ａ）は伝熱部を左前上方から見た斜視図、（ｂ）は伝熱部の平面図、（ｃ）は伝熱部の正面図。
【図５】（ａ）は抑え部の斜視図、（ｂ）は抑え部の左側面図、（ｃ）は抑え部の平面図、（ｄ）は抑え部の正面図。
【図６】図４（ｃ）にＡ−Ａ線で示した切断面における断面図。
【図７】（ａ）は図３（ａ）及び図３（ｂ）にＢ−Ｂ線で示した切断面における副熱交換器上部の断面図、（ｂ）は図３（ａ）及び図３（ｂ）にＣ−Ｃ線で示した切断面における副熱交換器上部の断面図、（ｃ）は図３（ａ）及び図３（ｂ）にＤ−Ｄ線で示した切断面における副熱交換器上部の断面図、（ｄ）は図３（ａ）及び図３（ｂ）にＥ−Ｅ線で示した切断面における副熱交換器上部の断面図。
【図８】副熱交換器の内部における燃焼排気の流動方向を概念的に示した説明図。
【発明を実施するための形態】
【００２４】
次に、本発明の実施形態について、具体的な例を挙げて説明する。
以下に説明するのは、潜熱回収型の給湯器及びその給湯器が備える副熱交換器において、本発明の構成を採用した事例である。なお、以下の説明では、図中に併記した前後左右上下の各方向を利用して給湯器ないし副熱交換器の構造を説明する。ただし、これらの各方向は、給湯器の各部の相対的な位置関係を簡潔に説明するために便宜的に規定した方向にすぎず、給湯器ないし副熱交換器のどちら側を前側と見なすかは任意である。
【００２５】
図１に例示する給湯器１は、上部に潜熱回収用の副熱交換器３を備えている。給湯器１内で燃料（ガス）を燃焼させることによって発生させた高温の燃焼排気は、先に主熱交換器に通されてから、続いて副熱交換器３へと通される。これにより、主熱交換器では、燃焼排気から主に顕熱が回収され、副熱交換器３では、燃焼排気から主に潜熱が回収される。
【００２６】
この副熱交換器３は、金属製のケーシング５を備える。ケーシング５の右側面には、第一接手部７Ａと第二接手部７Ｂが設けられている。第一接手部７Ａには入水管９Ａが接続され、第二接手部７Ｂには出水管９Ｂが接続されている。第一接手部７Ａは、図２（ａ）に示すように、ケーシング５の右側面上において、第二接手部７Ｂよりも下方、かつ第二接手部７Ｂよりも前方となる位置に設けられている。
【００２７】
ケーシング５の後面側（背面側）には、図２（ｂ）に示すように、燃焼排気をケーシング５の内部へと導入するための導入口１１が形成されている。一方、ケーシング５の前面側（正面側）には、燃焼排気をケーシング５の内部から外部へと排出するための排出口１３が形成されている。なお、この排出口１３を覆う位置には、図１に示すように、排気フード１５が取り付けられている。
【００２８】
導入口１１側からケーシング５の内部へ導入される燃焼排気は、ケーシング５の内部空間を導入口１１側から排出口１３側へと流れる。すなわち、ケーシング５の内部において、燃焼排気の流通方向は、副熱交換器３の背面側から正面側へ向かう方向となっている。
【００２９】
ケーシング５の内部空間には、図３（ａ）及び図３（ｂ）に示すように、伝熱部１７が収容されている。伝熱部１７は、複数（本実施形態では１０本）の伝熱管１９を備えている。これらの伝熱管１９は、図４（ａ）、図４（ｂ）、及び図４（ｃ）に示すように、上下方向に延びる仮想的な軸線を中心にして、その軸線の周囲で各伝熱管１９が同軸の螺旋を描く形状とされている。
【００３０】
より詳しく説明すると、各伝熱管１９は、燃焼排気の流通方向上流側において右上から左下へと延びる後側部分１９Ａと、燃焼排気の流通方向下流側において左上から右下へと延びる前側部分１９Ｂとを有する。また、これら後側部分１９Ａ及び前側部分１９Ｂの左端間を連通させる左側部分１９Ｃと、これら後側部分１９Ａ及び前側部分１９Ｂの右端間を連通させる右側部分１９Ｄとを有する。
【００３１】
これらは、各伝熱管１９の下端側から、前側部分１９Ｂ，左側部分１９Ｃ，後側部分１９Ａ，右側部分１９Ｄ，前側部分１９Ｂ，左側部分１９Ｃ，後側部分１９Ａ，右側部分１９Ｄ，前側部分１９Ｂ，左側部分１９Ｃ，後側部分１９Ａの順に連設されている。これにより、各伝熱管１９の下端から、図４（ｂ）に示す平面図においては時計回りとなる方向に旋回しつつ上端に至る螺旋状の管路が形成されている。各伝熱管１９の下端は第一接手部７Ａに連通し、各伝熱管１９の上端は第二接手部７Ｂに連通している。
【００３２】
各伝熱管１９が有する複数の後側部分１９Ａは、前側部分１９Ｂよりも燃焼排気の流通方向上流側に配置された状態にある。以下、これら複数の後側部分１９Ａによって構成されている部分のことを上流側伝熱部１７Ａと称する。また、各伝熱管１９が有する複数の前側部分１９Ｂは、後側部分１９Ａよりも燃焼排気の流通方向下流側に配置された状態にある。以下、これら複数の前側部分１９Ｂによって構成されている部分のことを下流側伝熱部１７Ｂと称する。さらに、各伝熱管１９が有する複数の左側部分１９Ｃによって構成されている部分のことを第一連通部１７Ｃと称し、各伝熱管１９が有する複数の右側部分１９Ｄによって構成されている部分のことを第二連通部１７Ｄと称する。これら上流側伝熱部１７Ａ、下流側伝熱部１７Ｂ、第一連通部１７Ｃ、及び第二連通部１７Ｄは、概ね図４（ｂ）中に二点鎖線で示したような範囲にある。
【００３３】
これら複数の伝熱管１９は、同軸螺旋状に形成されているので、上流側伝熱部１７Ａを構成する後側部分１９Ａと下流側伝熱部１７Ｂを構成する前側部分１９Ｂとでは、螺旋の１／２ピッチ分に相当する距離だけ高さ位置にずれがある。そのため、上流側伝熱部１７Ａは、上下方向について下流側伝熱部１７Ｂよりも高い位置に設けられた第一部分２１を有するとともに、下流側伝熱部１７Ｂは、第一部分２１よりも低い位置に設けられた第二部分２２を有する。すなわち、伝熱部１７の上面側において、上流側伝熱部１７Ａの一部は、下流側伝熱部１７Ｂよりも高い位置にあり、第一部分２１の前側、かつ第二部分２２の上側となる位置は、伝熱管１９が配置されていない領域になっている。第一部分２１は、概ね図４（ｃ）中に二点鎖線で示したような範囲にあり、当該範囲よりも下方となる範囲に第二部分２２がある。
【００３４】
第一連通部１７Ｃにおいて、複数の左側部分１９Ｃを上下両側から挟む位置には、抑え部２３Ａが配設されている。また、第二連通部１７Ｄにおいて、複数の右側部分１９Ｄを上下両側から挟む位置には、抑え部２３Ｂが配設されている。
【００３５】
抑え部２３Ａは、図５（ａ）〜図５（ｄ）に示すように、平面視略Ｕ字状に形成されて伝熱管１９の側方を三方から取り囲む側壁２４と、側壁２４の上下両端それぞれから水平に延出されて伝熱管１９を上下から挟み込む主抑え板２５及び副抑え板２６とを有する。側壁２４には、水平方向に貫通する側面視円形の貫通孔２７と、同じく水平方向に貫通する側面視四角形の開口２８が形成され、主抑え板２５には、上下方向に貫通する平面視円形の貫通孔２９が形成されている。なお、抑え部２３Ｂは、高さ方向寸法が抑え部２３Ａより小さいものの、平面視した形状や貫通孔２７，２９及び開口２８を有する点は抑え部２３Ａと同様であり、機能的にも抑え部２３Ａと同等なものである。
【００３６】
これら抑え部２３Ａ，２３Ｂは、主抑え板２５及び及び副抑え板２６によって、複数の伝熱管１９を上下両側から挟み込むことにより、複数の伝熱管１９間の間隔が上下方向へ過剰に拡がるのを抑制する。また、平面視略Ｕ字状の側壁２４によって、複数の伝熱管１９を左右両側から挟み込むことにより、複数の伝熱管１９間が前後方向へずれることを抑制する。
【００３７】
さらに、第一連通部１７Ｃ及び第二連通部１７Ｄにおいて、上下方向で隣り合う位置にある伝熱管１９の間には、図６に示すように、スペーサー３１が配設されている。このスペーサー３１は、上下方向について隣り合う位置にある伝熱管１９，１９の間に介装されており、両伝熱管１９，１９の間隔が過剰に狭まるのを抑制している。
【００３８】
スペーサー３１には、螺旋の径方向について隣り合う位置にある伝熱管１９，１９の間となる位置に対応づけて上側に突出する複数の凸部３２が設けられている。これらの凸部３２は、螺旋の径方向について隣り合う位置にある伝熱管１９，１９の間に入り込んでおり、これにより、両伝熱管１９，１９間の間隔が過剰に狭まるのを抑制している。スペーサー３１が有する複数の凸部３２の中心位置には、上下方向に貫通する貫通孔３３が形成されている。
【００３９】
ケーシング５の上面部５Ａは、図２（ａ）及び図２（ｂ）に示すように、四辺形（長方形）の金属板に対し当該金属板の四辺よりも下側に凹む凹部３５を形成した構造とされている。この上面部５Ａは、図７（ａ）〜図７（ｄ）に示すように、上流側伝熱部１７Ａから下流側伝熱部１７Ｂにわたる範囲の上方を覆う天井部３７を構成している。
【００４０】
天井部３７の下面において、図２（ｂ）中に太い破線で示した位置には、第一領域４１、第二領域４２、及び第三領域４３が形成されている。これらの領域のうち、第一領域４１は、第一部分２１の上方となる位置に設けられている。また、第二領域４２は、第一領域４１から連続して第二部分２２の上方に至る範囲に設けられている。また、第三領域４３は、第二領域４２から連続して第二部分２２の上方となる位置に設けられている。
【００４１】
第一領域４１は、図７（ａ）〜図７（ｄ）に示すように、第三領域４３よりも高い位置に形成されている。また、第一領域４１には、右から左へ向かって下り勾配となる傾斜が付与され、一方、第三領域４３には、左から右へ向かって下り勾配となる傾斜が付与されている。これにより、第一領域４１及び第三領域４３は、双方とも伝熱管１９の左右方向の傾きに沿って傾斜し、伝熱管１９と天井部３７との間に過大な空隙が生じるのを抑制している。したがって、下流側伝熱部１７Ｂの有する第二部分２２が上流側伝熱部１７Ａの有する第一部分２１より低い位置に設けられているにもかかわらず、第一部分２１及び第二部分２２の上方に形成される空間の容量を削減することができ、燃焼排気と伝熱管１９の接触効率を高めることができる。
【００４２】
また、第二領域４２には、第一領域４１側から第三領域４３側に向かって下り勾配となる傾斜が付与されている。第一領域４１及び第三領域４３には上述のような傾きが付与されているので、第一領域４１と第三領域４３の高さ位置には右側になるほど大きな高低差がある。この高低差に応じて、第二領域４２における傾斜面の傾斜方向の長さも右側ほど長くなっている。また、この第二領域４２のなす傾斜面の下端側は、第二部分２２を構成する伝熱管１９の上方に達している。
【００４３】
ケーシング５の内部空間のうち、水平方向については下流側伝熱部１７Ｂと排出口１３との間となる位置、かつ上下方向については排出口１３よりも低い位置には、図８に示すように、下流側伝熱部１７Ｂから排出口１３へと流れる燃焼排気が通過する通気口４５が設けられている。
【００４４】
以上のように構成された給湯器１において、各伝熱管１９には、入水管９Ａから水が供給され、その水が第一接手部７Ａを介して各伝熱管１９へと流入する。また、主熱交換器において主に顕熱が回収された燃焼排気は、導入口１１を介してケーシング５の内部空間へと流入する。
【００４５】
ケーシング５の内部空間へ導入される燃焼排気は、既に主熱交換器において顕熱が奪われて温度が低下し、それに伴って相対湿度が高くなっている。そのため、燃焼排気と伝熱管１９が接触すると、燃焼排気中の水蒸気が凝縮してドレン（凝縮水）が発生、燃焼排気からは主に潜熱が回収されることになる。これにより、各伝熱管１９内を流れる水は昇温し、その昇温した水が第二接手部７Ｂを介して出水管９Ｂへと流出する。なお、出水管９Ｂを流通する水は、更に主熱交換器へと送られて加熱されることになる。
【００４６】
ケーシング５の内部空間において、燃焼排気は、図８中に矢印で概念的な流動方向を例示したように、いくらか上昇傾向を伴って導入口１１側から排出口１３側へと流れる。ただし、上流側伝熱部１７Ａの上部付近を通過した燃焼排気は、上昇方向へ流動する傾向があるにもかかわらず、天井部３７が有する第二領域４２に沿って斜め下方へと流れることで、下流側伝熱部１７Ｂに到達する。
【００４７】
そのため、上流側伝熱部１７Ａの上部付近を通過した燃焼排気が更に上昇する方向へ流動するものに比べ、燃焼排気が下流側伝熱部１７Ｂに向かって流れるので、燃焼排気と伝熱管１９の接触効率を高めることができる。したがって、燃焼排気と伝熱管１９の接触効率は極めて高くなり、燃焼排気が伝熱管１９に接触することなくケーシング５外へ素通りしてしまうのを抑制できるので、熱効率を高めることができる。
【００４８】
なお、本実施形態の場合、ケーシング５において、伝熱部１７を挟んで天井部３７とは反対側の位置には、図８に示すように、床部５１が設けられている。この床部５１は、伝熱部１７の下面側の形状に応じて、上流側伝熱部１７Ａの下方にある部分が、下流側伝熱部１７Ｂの下方にある部分よりも上方へと盛り上がっている。
【００４９】
これにより、伝熱部１７の下方においても、伝熱管１９と床部５１との間に過大な空隙が生じるのを抑制している。したがって、伝熱部１７の下方に形成される空間の容量を削減することができ、燃焼排気と伝熱管１９の接触効率を高めることができる。
【００５０】
また、この副熱交換器３においては、上述のような凹部３５を形成することにより、所期の第二領域４２及び第三領域４３を設けてあるので、このような凹部３５であれば金属板に対する絞り加工で形成することができる。したがって、同等な第二領域４２及び第三領域４３を設けるために別体の複数部品を接合したような構造とは異なり、部品点数を削減することができ、また、接合箇所から燃焼排気が漏出するといった問題も未然に防ぐことができる。
【００５１】
さらに、この副熱交換器３において、上流側伝熱部１７Ａ及び下流側伝熱部１７Ｂを通過した燃焼排気は、排出口１３よりも低い位置にある通気口４５を通ってから排出口１３へと流れる。そのため、ケーシング５内における通気口４５よりも高い領域では、上昇傾向にある燃焼排気が流れ込むことにより、高温の燃焼排気がある程度長時間にわたって滞留する。
【００５２】
したがって、このような通気口４５を経由することなく、より上方にある排出口１３に向かって燃焼排気が真っ直ぐに流れてしまうものに比べ、燃焼排気と伝熱管１９とをより長時間にわたって接触させることができ、熱効率を向上させることができる。
【００５３】
また、この副熱交換器３において、伝熱管１９には、抑え部２３Ａ，２３Ｂやスペーサー３１には、貫通孔２７，２９，３３及び開口２８が設けてあるので、これらの貫通孔２７，２９，３３及び開口２８を介して燃焼排気が流通する。したがって、このような貫通孔２７，２９，３３及び開口２８が設けられていない場合に比べ、燃焼排気がケーシング５の内部空間を隅々まで流通し、熱効率を向上させることができる。
【００５４】
以上、本発明の実施形態について説明したが、本発明は上記の具体的な一実施形態に限定されず、この他にも種々の形態で実施することができる。
例えば、上記実施形態では、伝熱部１７の一例として、複数の伝熱管１９が螺旋状に形成されるとともに、それらの螺旋が同軸配置された構造となっているものを例示したが、伝熱管の具体的な立体構造は、上記の一例に限定されるものではない。
【００５５】
他の例としては、例えば、螺旋状ではない伝熱管であってもよいし、螺旋状ではあるものの同軸配置されていない伝熱管であってもよい。上記実施形態の場合、伝熱管１９が螺旋状であったため、伝熱管１９を流れる水は上流側伝熱部１７Ａと下流側伝熱部１７Ｂを交互に通過しているが、伝熱管の具体的形状によっては、上流側伝熱部１７Ａと下流側伝熱部１７Ｂを交互には通過しないものであってもよい。
【００５６】
また、上記実施形態では、抑え部２３Ａ，２３Ｂやスペーサー３１を備える事例を示したが、これらの抑え部２３Ａ，２３Ｂやスペーサー３１を設けるか否かは任意である。
【符号の説明】
【００５７】
１…給湯器、３…副熱交換器、５…ケーシング、７Ａ…第一接手部、７Ｂ…第二接手部、９Ａ…入水管、９Ｂ…出水管、１１…導入口、１３…排出口、１５…排気フード、１７…伝熱部、１７Ａ…上流側伝熱部、１７Ｂ…下流側伝熱部、１７Ｃ…第一連通部、１７Ｄ…第二連通部、１９…伝熱管、１９Ａ…後側部分、１９Ｂ…前側部分、１９Ｃ…左側部分、１９Ｄ…右側部分、２１…第一部分、２２…第二部分、２３Ａ，２３Ｂ…抑え部、２４…側壁、２５…主抑え板、２６…副抑え板、２７，２９…貫通孔、２８…開口、３１…スペーサー、３２…凸部、３３…貫通孔、３５…凹部、３７…天井部、４１…第一領域、４２…第二領域、４３…第三領域、４５…通気口、５１…床部。
【図１】
2015010797.tif 000003
【図２】
2015010797.tif 000004
【図３】
2015010797.tif 000005
【図４】
2015010797.tif 000006
【図５】
2015010797.tif 000007
【図６】
2015010797.tif 000008
【図７】
2015010797.tif 000009
【図８】
2015010797.tif 000010